(57)【要約】【課題】利便性を向上させた容器を提供すること。【解決手段】内容物を収容する容器本体２と、容器本体２の口部３に弱化部４を介して一体的に形成され、容器本体２を密封する栓体５と、容器本体２の口部３に取り外し可能に装着された中栓体３１と、容器本体２内の内容物を注出する注出孔６１Ａが形成され、中栓体３１に、容器本体２の容器軸Ｏ方向に移動可能に配設された注出部材３２と、を備え、中栓体３１が、注出部材３２の中栓体３１に対する容器軸Ｏ方向の移動に伴って注出部材３２の注出孔６１Ａを開閉する栓部４５を備え、中栓体３１には、栓体５を保持可能であり、容器軸Ｏ方向に延在する保持凹部４９が形成されている。【選択図】図１
2020033093.tif 000002
【特許請求の範囲】
【請求項１】
内容物を収容する容器本体と、
前記容器本体の口部に弱化部を介して一体的に形成され、前記容器本体を密封する栓体と、
前記容器本体の前記口部に取り外し可能に装着された中栓体と、
前記容器本体内の内容物を注出する注出孔が形成され、前記中栓体に、前記容器本体の容器軸方向に移動可能に配設された注出部材と、
を備え、
前記中栓体が、前記注出部材の前記中栓体に対する前記容器軸方向の移動に伴って前記注出部材の注出孔を開閉する栓部を備え、
前記中栓体及び前記注出部材の一方には、前記栓体を保持可能であり、前記容器軸方向に延在する保持凹部が形成されていることを特徴とする容器。
【請求項２】
前記保持凹部が、前記容器軸方向に沿う前記容器本体側に開口し、かつこの逆向きに閉塞する非貫通孔であることを特徴とする請求項１に記載の容器。
【請求項３】
前記中栓体が、前記口部及び前記栓体を囲繞し、前記容器本体の肩部に前記容器軸方向に近接または当接する外筒部を有し、
前記保持凹部が、前記外筒部の内側に形成されていることを特徴とする請求項１または２に記載の容器。
【発明の詳細な説明】
【技術分野】
【０００１】
本発明は、容器に関する。
【背景技術】
【０００２】
内容物を収容する容器本体と、容器本体の口部に弱化部を介して一体的に形成され、容器本体を密封する栓体と、口部及び栓体を囲繞する有頂筒状のオーバーキャップと、を備える容器が提案されている（例えば、特許文献１参照）。このような容器では、弱化部を破断して栓体を容器本体から分離することによって、容器本体を開栓している。
【先行技術文献】
【特許文献】
【０００３】
【特許文献１】特開２０１０−０２９５９８号公報
【発明の概要】
【発明が解決しようとする課題】
【０００４】
しかしながら、上記従来の容器においても、開栓時に容器本体から分離した栓体を処分する手間があった。
【０００５】
そこで、本発明は、利便性を向上させた容器を提供することを提案する。
【課題を解決するための手段】
【０００６】
本発明は、上記課題を解決するために以下のような手段を採用した。すなわち、本発明の容器は、内容物を収容する容器本体と、前記容器本体の口部に弱化部を介して一体的に形成され、前記容器本体を密封する栓体と、前記容器本体の前記口部に取り外し可能に装着された中栓体と、前記容器本体内の内容物を注出する注出孔が形成され、前記中栓体に、前記容器本体の容器軸方向に移動可能に配設された注出部材と、を備え、前記中栓体が、前記注出部材の前記中栓体に対する前記容器軸方向の移動に伴って前記注出部材の注出孔を開閉する栓部を備え、前記中栓体及び前記注出部材の一方には、前記栓体を保持可能であり、前記容器軸方向に延在する保持凹部が形成されていることを特徴とする。
【０００７】
この発明では、中栓体または注出部材の保持凹部に栓体を保持させた状態で栓体を容器本体から分離させ、分離した栓体を保持凹部が保持するので、分離した栓体を処分する手間がなくなり、容器の利便性が向上する。
また、保持凹部が容器軸方向に延在しているので、例えば成形金型を用いて保持凹部が形成された中栓体または注出部材を射出成形する際に、型抜き方向が複数になるなど金型構造が複雑になることなく保持凹部が形成された中栓体または注出部材を製造することができる。
【０００８】
また、本発明の容器では、前記保持凹部が、前記容器軸方向に沿う前記容器本体側に開口し、かつこの逆向きに閉塞する非貫通孔であってもよい。
この発明では、保持凹部に保持されている栓体を外部から視認しにくくなっているため、保持凹部を設けても容器の外観が損なわれることを抑制できる。
【０００９】
また、本発明の容器では、前記中栓体が、前記口部及び前記栓体を囲繞し、前記容器本体の肩部に前記容器軸方向に近接または当接する外筒部を有し、前記保持凹部が、前記外筒部の内側に形成されてもよい。
この発明では、保持凹部に保持された栓体が保持凹部から離脱しても、離脱した栓体が容器本体の肩部と中栓体の外筒部とによって囲まれた空間から逸脱することを抑制できる。
【発明の効果】
【００１０】
この発明にかかる容器によれば、保持凹部が容器本体から分離した栓体を保持するので、栓体を処分する手間を排除して容器の利便性が向上する。また、保持凹部が容器軸方向に延在しているので、保持凹部が形成された中栓体または注出部材の製造が複雑化することを抑制できる。
【図面の簡単な説明】
【００１１】
【図１】本発明の第１実施形態にかかる容器を示す軸方向断面図である。
【図２】図１の容器本体及び栓体を示す上面図である。
【図３】図１の中栓体を示す下面図である。
【図４】図１の容器の使用方法を示す軸方向断面図である。
【図５】同じく、図１の容器の使用方法を示す軸方向断面図である。
【図６】同じく、図１の容器の使用方法を示す軸方向断面図である。
【図７】同じく、図１の容器の使用方法を示す軸方向断面図である。
【図８】本発明の第２実施形態にかかる容器を示す軸方向断面図である。
【図９】図８の塗布具を示す上面図である。
【図１０】図８の容器の使用方法を示す軸方向断面図である。
【発明を実施するための形態】
【００１２】
以下、本発明による容器の第１実施形態を、図面に基づいて説明する。
本実施形態にかかる容器１は、図１に示すように、内容物を収容するチューブ状の容器本体２と、容器本体２の円筒状の口部３に弱化部４を介して一体的に形成された有頂円筒状の栓体５と、容器本体２の口部３に装着された塗布具６と、容器本体２の口部３及び塗布具６を囲繞する有頂円筒状のオーバーキャップ７と、を備える。
【００１３】
これら容器本体２の口部３、栓体５及びオーバーキャップ７は、それらの中心軸線が共通軸上に位置する状態で配設されている。以下、この中心軸線を容器軸Ｏと称し、図１に示すように、容器軸Ｏに沿って容器本体２の底部から口部３に向かう方向を上方、その逆方向を下方とする。また、容器軸Ｏから見た平面視で容器軸Ｏに交差する方向を径方向、容器軸Ｏ回りに周回する方向を周方向とする。
【００１４】
容器本体２は、図１及び図２に示すように、下端開口部が径方向に挟み込まれて閉塞された楕円筒状の胴部１１と、胴部１１の上端開口縁から径方向内側に向けて連設された平面視楕円状の肩部１２と、肩部１２の開口縁から上方に向けて連設された円筒状の口部３と、を備える。これら胴部１１、肩部１２及び口部３は、容器軸Ｏと同軸に配設されている。容器本体２内に収容される内容物は、例えば粘性を有するジェル状の内容物であるが、内容物は、これに限定されない。
【００１５】
胴部１１は、横断面視で楕円状とされている。
口部３は、肩部１２の上端開口縁に連設された円筒状の下側筒部１３と、下側筒部１３の上端開口縁から径方向内側に向けて連設された多段筒状の上側筒部１４と、を有する。
下側筒部１３の外周面には、塗布具６が螺着される二条ネジである第１ネジ部１３Ａが形成されている。
上側筒部１４は、下側筒部１３の上端縁から径方向内側に向けて連設された円環状の第１内鍔部１４Ａと、第１内鍔部１４Ａの内周縁から上方に向けて連設された第１円筒状部１４Ｂと、第１円筒状部１４Ｂの上端縁から径方向内側に向けて連設された円環状の第２内鍔部１４Ｃと、第２内鍔部１４Ｃの内周縁から上方に向けて連設された第２円筒状部１４Ｄと、を有する。
【００１６】
栓体５は、上側筒部１４の上端開口縁に弱化部４を介して容器本体２と一体的に形成されている。栓体５は、平面視で円形状の頂板部２１と、頂板部２１の外周縁から下方に向けて延設された円筒状の側筒部２２と、を有する。側筒部２２は、容器軸Ｏと同軸に配設されている。
頂板部２１の上面には、平面視で十字状をなす第１係止突部２１Ａが上方に向けて突設されている。
側筒部２２の下端縁は、弱化部４を介して口部３の上端縁に連設されている。弱化部４は、口部３を径方向外側から薄肉とすることによって形成されている。
【００１７】
塗布具６は、容器本体２の口部３に装着された中栓体３１と、中栓体３１に取り付けられた有頂円筒状の塗布体（注出部材）３２と、を備える。この塗布体３２は、容器軸Ｏと同軸に配設されている。
中栓体３１は、図１及び図３に示すように、平面視で円環状の底板部４１と、底板部４１の外周縁から上下方向に延在する円筒状の外筒部４２と、外筒部４２よりも径方向内側において底板部４１から下方に延設された円筒状の装着筒部４３と、底板部４１の内周縁から上方に延設された円筒状の案内筒部４４と、案内筒部４４の径方向内側に配設された円柱状の栓部４５と、を備える。これら外筒部４２、装着筒部４３、案内筒部４４及び栓部４５は、容器軸Ｏと同軸に配設されている。
【００１８】
底板部４１の内周縁には、下方に向けて延在し、口部３の第１円筒状部１４Ｂに外嵌される円筒状の嵌合筒部４１Ａが形成されている。
外筒部４２のうち底板部４１よりも上側の部分は、容器軸Ｏに沿って上下方向に延在している。また、外筒部４２のうち底板部４１よりも下側の部分は、下方に向かうにしたがって径方向外側に向かうように傾斜する円錐台筒状の傾斜筒部４６と、傾斜筒部４６の下端から下方に向けて連設された円筒状の取付筒部４７と、を有する。
取付筒部４７の下端縁は、肩部１２に当接または近接している。また、取付筒部４７の下側部分の内径及び外径は、取付筒部４７の上側部分の内径及び外径よりも拡径されており、取付筒部４７の下側部分の外周面は、肩部１２の外周縁よりも径方向内側に位置している。さらに、取付筒部４７の下側部分における外周面には、複数の滑止突部４７Ａ（図６参照）が周方向に複数形成されている。
装着筒部４３の内周面には、口部３の第１ネジ部１３Ａと螺合する第２ネジ部４３Ａが形成されている。また、装着筒部４３と取付筒部４７との間には、保持筒部４８が設けられている。
【００１９】
保持筒部４８の外径は、栓体５の外径よりも若干小径とされており、栓体５が締め代嵌合されるような寸法とされている。なお、保持筒部４８は、内側に栓体５がアンダーカット嵌合されるように形成されてもよい。そして、保持筒部４８の周方向の一部は、装着筒部４３及び取付筒部４７に連なっている。また、保持筒部４８の上端部には、保持筒部４８の中心軸に向けて突出し、この中心軸回りに第１係止突部２１Ａと係止する第２係止突部４８Ａが保持筒部４８の中心軸回りに間隔をあけて複数（本実施形態では４つ）形成されている。第２係止突部４８Ａは、平面視で十字状をなす第１係止突部２１Ａに対応する平面視で十字状をなす孔部を画成する。
この保持筒部４８によって、下方に開口して上端が閉塞された非貫通孔である保持凹部４９が画成されている。
【００２０】
案内筒部４４の上下方向の中間部分における外周面には、上下方向に延在し、径方向内側に向けて窪む第１案内凹部４４Ａが形成されている。また、案内筒部４４の上端部の外径は、この上端部よりも下側の部分における外径よりも小径とされている。そして、案内筒部４４の第１案内凹部４４Ａの上端部における外周面には、径方向外側に向けて突出する第１規制突部４４Ｂが形成されている。
さらに、案内筒部４４の内周面には、上下方向に延在し、上端から案内筒部４４の上下方向の中間部分に至る回止溝部４４Ｃが周方向に間隔をあけて複数形成されている。また、案内筒部４４の内周面のうち回止溝部４４Ｃよりも下側の部分は、径方向内側に向けて若干突出しており、この下側の部分には、栓部４５の下端部に接続される接続部５０が周方向に間隔をあけて複数形成されている。
【００２１】
栓部４５の下端部の外径は、この下端部よりも上側の部分の外径よりも大径とされており、栓部４５の下端部には、下方に開口する中央凹部４５Ａが形成されている。栓部４５の上端部は、外筒部４２及び案内筒部４４の上端よりも上方に突出している。また、栓部４５は、栓体５よりも上方に位置しており、案内筒部４４の下側部分及び接続部５０と共に栓体５を径方向及び上方から囲んでいる。
【００２２】
塗布体３２は、図１に示すように、平面視で円形状の頂壁部６１と、頂壁部６１の外周縁から下方に向けて延設された円筒状の周筒部６２と、周筒部６２よりも径方向内側において頂壁部６１から下方に向けて延設された円筒状の被案内筒部６３と、被案内筒部６３よりも径方向内側において頂壁部６１から下方に向けて延設された円筒状の内筒部６４と、を有する。これら周筒部６２、被案内筒部６３及び内筒部６４は、容器軸Ｏと同軸に配設されている。
【００２３】
頂壁部６１は、中央部が上方に向けて凸となるように、径方向外側に向かうにしたがって下方に向かうように例えば曲面状に傾斜している。また、頂壁部６１の中央部には、上下方向に貫通する貫通孔である注出孔６１Ａが形成されており、頂壁部６１には、注出孔６１Ａに隣接し、上方に向けて突出する平面視で円環状の注出突部６１Ｂが形成されている。また、注出孔６１Ａには、栓部４５の上端部が嵌め込まれている。さらに、頂壁部６１の上面には、内容物を塗り広げるための複数の塗布突部６１Ｃが上方に向けて突設されている。
【００２４】
周筒部６２は、外筒部４２よりも径方向外側に配設されており、周筒部６２の内周面には、上下方向に延在し、外筒部４２の上端部における外周面に近接または摺接する補強リブ部６２Ａが周方向に間隔をあけて複数形成されている。
被案内筒部６３は、径方向で外筒部４２と案内筒部４４との間に配設されており、被案内筒部６３の下側部分における内周面には、径方向外側に向けて窪み、第１規制突部４４Ｂを上下方向に移動可能とする第２案内凹部６３Ａが形成されている。そして、被案内筒部６３の第２案内凹部６３Ａの下端部における内周面には、径方向内側に向けて突出し、第１規制突部４４Ｂに対して下方から係止可能な第２規制突部６３Ｂが形成されている。第２規制突部６３Ｂは、第１案内凹部４４Ａ内を上下方向に移動可能である。
【００２５】
内筒部６４は、案内筒部４４と栓部４５との間に配設されている。内筒部６４の外周面には、上下方向に延在し、回止溝部４４Ｃに収容される回止リブ部６４Ａが周方向に間隔をあけて複数形成されている。これにより、回止リブ部６４Ａは、回止溝部４４Ｃと周方向で係止し、塗布体３２が中栓体３１に対して容器軸Ｏ回りに回転することを規制する。また、内筒部６４の下端部は、案内筒部４４の下側部分の内周面と栓部４５の下端部の外周面との間に嵌め込まれており、接続部５０に当接または近接している。
【００２６】
オーバーキャップ７は、平面視で円環状の天壁部７１と、天壁部７１の外周縁から下方に向けて延設された円筒状の側壁部７２と、を有する。
天壁部７１の中央部の下面には、下方に向けて突出する平面視で円形状の当接突部７１Ａが形成されている。当接突部７１Ａの外径は、注出突部６１Ｂの外径と同等であり、当接突部７１Ａの下面は、注出突部６１Ｂの上端縁に当接している。
側壁部７２の下端部は、取付筒部４７の上側部分に外嵌されている。また、側壁部７２の下端部は、取付筒部４７の下側部分の上端面に当接または近接している。
【００２７】
次に、以上のような構成の容器１の使用方法を説明する。
まず、塗布具６を容器本体２から取り外して栓体５を露出させる。ここで、塗布具６は、オーバーキャップ７を塗布具６から取り外した後に容器本体２から取り外されてもよく、オーバーキャップ７と一体的に容器本体２から取り外されてもよい。
【００２８】
栓体５を露出させた後、図４に示すように、栓体５を中栓体３１の保持筒部４８内に下方から差し込む。栓体５を差し込むと、栓体５の第１係止突部２１Ａが保持筒部４８の第２係止突部４８Ａと周方向で係止される。また、栓体５は、保持筒部４８内に嵌合される。そのため、栓体５が保持筒部４８から離脱することが抑制される。
【００２９】
栓体５を保持筒部４８内に差し込んだ後、図５に示すように、容器本体２を中栓体３１に対して相対的に保持筒部４８の中心軸回りに回転させる。これにより、栓体５と容器本体２の口部３とを接続している弱化部４が破断され、容器本体２が開封される。容器本体２から分離された栓体５は、保持筒部４８内で保持される。容器本体２を開封した後、塗布具６を容器本体２の口部３に螺着する。
【００３０】
塗布具６を容器本体２に装着すると、保持凹部４９の上端部が傾斜筒部４６によって閉塞されており、非貫通孔となっているので、保持凹部４９によって保持されている栓体５が容器１の外部から視認されにくくなっている。また、中栓体３１における外筒部４２の取付筒部４７が保持凹部４９を径方向外側から囲繞しており、かつ、取付筒部４７の下端縁が肩部１２に当接または近接しているので、容器本体２の開封後に容器１に加わった衝撃などによって保持凹部４９内に保持されている栓体５が保持凹部４９から離脱した場合であっても、栓体５が容器１の外側へ転がり出ることが抑制されている。
【００３１】
塗布具６を容器本体２の口部３に螺着した後、図６に示すように、塗布体３２を中栓体３１に対して上方に引き上げる。塗布体３２の中栓体３１に対する上昇は、被案内筒部６３の第２規制突部６３Ｂが案内筒部４４の第１規制突部４４Ｂに下方から係止することによって規制される。そして、栓部４５の上端部は、頂壁部６１の注出孔６１Ａから離脱し、注出孔６１Ａを開放する。また、内筒部６４の下端部は、案内筒部４４の下側部分の内周面と栓部４５の下端部の外周面との間の空間よりも上方に移動する。これにより、容器本体２の口部３の上端開口部から塗布体３２の頂壁部６１の注出孔６１Ａに至る流路が開放される。
【００３２】
この状態で容器本体２を圧搾などすると、容器本体２内の内容物は、口部３の上端開口部から案内筒部４４の下側部分、接続部５０及び栓部４５によって画成される空間内に流入する。そして、内容物は、周方向で隣り合う接続部５０間の隙間を通って、案内筒部４４の内周面または内筒部６４の内周面と栓部４５の外周面との間の空間に流入する。さらに、内容物は、注出孔６１Ａから外部に注出される。注出孔６１Ａから注出された内容物は、頂壁部６１の上面を塗布対象に当てることにより、塗布対象に塗り広げられる。
【００３３】
内容物の塗布を終了した後、図７に示すように、オーバーキャップ７を塗布具６に装着する。オーバーキャップ７を装着させていくと、天壁部７１の当接突部７１Ａは、注出突部６１Ｂに当接し、塗布体３２を中栓体３１に対して押し下げる。これにより、栓部４５の上端部は、注出孔６１Ａに挿入されて注出孔６１Ａを閉塞する。また、内筒部６４の下端部は、案内筒部４４の下側部分の内周面と栓部４５の下端部の外周面との間に嵌め込まれる。これにより、容器本体２内から注出孔６１Ａに至る流路が閉塞される。もちろん、塗布体３２を中栓体３１に対して押し下げた後にオーバーキャップ７を装着してもよい。オーバーキャップ７を塗布具６に装着すると、天壁部７１の当接突部７１Ａは、頂壁部６１の注出突部６１Ｂに当接または近接する。
以上のようにして、容器１を使用する。
【００３４】
以上、本実施形態にかかる容器１によれば、分離後の栓体５が中栓体３１の保持筒部４８内に保持されるので、栓体５を処分する手間を排除して容器１の利便性を向上させることができる。また、保持凹部４９が上下方向に延在しているので、中栓体３１の製造を複雑化させることなく保持凹部４９を形成することができる。
さらに、保持凹部４９が上端を閉塞した非貫通孔であり、保持凹部４９に保持されている栓体５を外部から視認しにくくなっているので、栓体５が視認されることによって容器１の外観が損なわれることを抑制できる。
その上、保持凹部４９に保持されている栓体５が衝撃などによって保持凹部４９から離脱しても、下端縁が肩部１２に当接または近接している外筒部４２によって、離脱した栓体５が容器１の外側に転がり出ることを抑制できる。
また、保持筒部４８を用いて栓体５を容器本体２から分離しており、栓体５を手で分離できるような寸法とする必要がないので、栓体５を小型化することができる。そのため、案内筒部４４の下側部分、接続部５０及び栓部４５によって画成される栓体５の収容空間を小さくすることができ、容器本体２の開栓後の保管時などにこの空間に残存する内容物の量を削減することができる。
【００３５】
次に、本発明による容器の第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３６】
本実施形態にかかる容器１００の塗布具１０１は、図８及び図９に示すように、中栓体１０２及び塗布体１０３を備える。
中栓体１０２は、平面視で円環状の底板部１０４と、底板部１０４の外周縁から下方に向けて延設された円筒状の外筒部１０５と、外筒部１０５よりも径方向内側において底板部１０４から上方に延設された円筒状の第１ネジ筒部１０６と、第１ネジ筒部１０６よりも径方向内側において底板部１０４から下方に延設された円筒状の装着筒部１０７と、底板部１０４の内周縁から上方に延設された円筒状の案内筒部１０８と、を備える。これら外筒部１０５、第１ネジ筒部１０６、装着筒部１０７及び案内筒部１０８は、容器軸Ｏと同軸に配設されている。
【００３７】
外筒部１０５は、第１実施形態にかかる外筒部４２の取付筒部４７と同様に構成されている。
第１ネジ筒部１０６の外周面には、第１昇降ネジ部１０６Ａが形成されている。
装着筒部１０７と外筒部１０５との間には、保持筒部１０９が設けられている。
保持筒部１０９の周方向の一部は、外筒部１０５及び装着筒部１０７に連なっている。また、保持筒部１０９には、第２係止突部１０９Ａが形成されている。この保持筒部１０９によって下方に開口して上端が底板部１０４によって閉塞された非貫通孔である保持凹部１１０が画成されている。
【００３８】
案内筒部１０８は、底板部１０４の内周縁に連なる円筒状の大径筒部１１１と、大径筒部１１１の上端に連設された円錐台筒状の移行筒部１１２と、移行筒部１１２の上端に連設された円筒状の小径筒部１１３と、小径筒部１１３に周方向に間隔をあけて複数配設された接続部１１４を介して接続された円柱状の栓部１１５と、を有する。これら大径筒部１１１、移行筒部１１２、小径筒部１１３及び栓部１１５は、容器軸Ｏと同軸に配設されている。
【００３９】
大径筒部１１１の外周面には、上下方向の全長にわたって延在し、径方向外側に向けて突出する一対の第１回転規制リブ部１１１Ａが形成されている。第１回転規制リブ部１１１Ａは、容器軸Ｏを径方向に挟む両側に配設されている。また、大径筒部１１１の内周面には、上下方向に延在し、移行筒部１１２の内周面に至る強化リブ部１１１Ｂが周方向に間隔をあけて複数形成されている。
小径筒部１１３の上端外周縁には、上方に向けて突出する案内突部１１３Ａが形成されている。
【００４０】
塗布体１０３は、平面視で円形状の頂壁部１２１と、頂壁部１２１の外周縁から下方に向けて延設された円筒状の周筒部１２２と、周筒部１２２のよりも径方向内側において頂壁部１２１から下方に向けて延設された円筒状の被案内筒部１２３と、被案内筒部１２３よりも径方向内側において頂壁部１２１から下方に向けて延設された円筒状の内筒部１２４と、を有する。これら周筒部１２２、被案内筒部１２３及び内筒部１２４は、容器軸Ｏと同軸に配設されている。
【００４１】
頂壁部１２１には、第１実施形態にかかる頂壁部６１のような注出突部６１Ｂが形成されていない。頂壁部１２１の注出孔１２１Ａには、栓部１１５の上端部が嵌め込まれている。また、頂壁部１２１には、注出孔１２１Ａの開放方向へ中栓体１０２に対して塗布体１０３を容器軸Ｏ回りに回転させる方向を示す表示１２１Ｂが形成されている。
周筒部１２２は、頂壁部１２１の外周縁に連設された円筒状の垂下筒部１２５と、垂下筒部１２５の下端縁に連設された第２ネジ筒部１２６と、を有する。
垂下筒部１２５の下端縁は、第１ネジ筒部１０６の上端縁に当接または近接している。
第２ネジ筒部１２６の内径及び外径は、垂下筒部１２５の内径及び外径よりも大径とされており、第２ネジ筒部１２６は、第１ネジ筒部１０６の径方向外側に配設されている。第２ネジ筒部１２６の内周面には、第１昇降ネジ部１０６Ａと螺合する第２昇降ネジ部１２６Ａが形成されている。また、第２ネジ筒部１２６の外周面には、複数の第２滑止突部１２６Ｂ（図１０参照）が周方向に複数形成されている。
【００４２】
被案内筒部１２３は、第１ネジ筒部１０６と案内筒部１０８の大径筒部１１１との間に配設されており、被案内筒部１２３の内周面には、上下方向の全長にわたって延在し、径方向内側に向けて突出する一対の第２回転規制リブ部１２３Ａが形成されている。第２回転規制リブ部１２３Ａは、容器軸Ｏを径方向に挟む両側に配設されており、第１回転規制リブ部１１１Ａと周方向で係止可能となっている。
内筒部１２４は、案内筒部１０８の小径筒部１１３に昇降可能に外嵌されている。
なお、本実施形態にかかる容器１００のオーバーキャップ１３０の天壁部１３１には、当接突部７１Ａが形成されていない。また、本実施形態にかかる容器本体２における上側筒部１４の第１内鍔部１４Ａは、径方向内側に向かうにしたがって上方に向かうように傾斜しており、第２内鍔部１４Ｃの径方向内側部分も、径方向内側に向かうにしたがって上方に向かうように傾斜している。
【００４３】
次に、以上のような構成の容器１００の使用方法は、容器本体２から栓体５を分離させる点に関して、上述した第１実施形態にかかる容器１の使用方法と同様である。
栓体５を容器本体２から分離させて塗布具１０１を容器本体２の口部３に螺着した後、図１０に示すように、塗布体１０３を中栓体１０２に対して容器軸Ｏ回りに回転させる。中栓体１０２の第１昇降ネジ部１０６Ａと塗布体１０３の第２昇降ネジ部１２６Ａとが螺合しているので、塗布体１０３は、中栓体１０２に対して上昇する。塗布体１０３の中栓体１０２に対する上昇は、第１回転規制リブ部１１１Ａに対して第２回転規制リブ部１２３Ａが周方向で当接することによって規制される。そして、栓部１１５の上端部は、頂壁部１２１の注出孔１２１Ａから離脱し、注出孔１２１Ａを開放する。なお、内筒部１２４は、小径筒部１１３の案内突部１１３Ａに外嵌されたままである。これにより、容器本体２の口部３の上端開口部から塗布体１０３の頂壁部１２１の注出孔１２１Ａに至る流路が開放される。
その後、上述した第１実施形態にかかる容器１と同様に、容器本体２内の内容物を注出孔１２１Ａから外部に注出し、塗布対象に塗り広げる。そして、内容物の塗布を終了した後、塗布体１０３を中栓体１０２に対して先程とは逆方向に容器軸Ｏ回りに回転させ、注出孔１２１Ａを閉塞した後、オーバーキャップ７を塗布具６に装着する。
以上のようにして、容器１００を使用する。
【００４４】
本実施形態にかかる容器１００においても、上述した第１実施形態にかかる容器１と同様の効果を奏する。
【００４５】
なお、本発明は上記実施形態に限定されるものではなく、本発明の趣旨を逸脱しない範囲において種々の変更を加えることができる。
注出部材は、頂壁部が塗布対象に内容物を塗り広げるように形成された塗布体として構成されているが、中栓体に対して注出部材が昇降することによって注出孔を開閉するものであれば、塗布体に限らず、他の構成であってもよい。
中栓体は、容器本体の口部に螺着されているが、栓体を容器本体から分離するために少なくとも一度は取り外し可能となっていれば、他の構成によって口部に装着されていてもよい。
中栓体の外筒部は、保持凹部を径方向外側から覆っており、下端縁が容器本体の肩部に当接または近接しているが、外筒部が保持凹部を径方向外側から覆っていなくてもよく、また、外筒部の下端縁が容器本体の肩部に当接または近接していなくてもよい。
保持凹部は、外筒部と装着筒部との間に形成されているが、容器軸方向に延在していれば、栓体の寸法に応じて、装着筒部と嵌合筒部との間など、他の個所に形成されてもよい。また、保持凹部は、中栓体に限らず、塗布体に設けられてもよく、双方に設けられていてもよい。さらに、保持凹部は、複数形成されていてもよい。ここで、保持凹部を複数形成する場合には、保持凹部を容器軸回りに等間隔に形成することが好ましい。これにより、保持凹部が形成された中栓体または注出部材の成形性（樹脂の流れや成形バランス）を向上させることができる。
栓体は、有頂円筒状のような中空の構造に限らず、円柱状など中実の構造であってもよい。
また、栓体は、保持筒部内に差し込んだ後に容器本体を中栓体に対して回転させることによって容器本体から分離させているが、中栓体との間の相対的な動作によって容器本体から分離されればよく、例えば保持筒部内に差し込んだ後に容器本体を中栓体に対して引っ張ることによって容器本体から分離されてもよい。
さらに、栓体は、中栓体に対して下方から差し込まれているが、保持凹部が貫通孔など上方へ開口した凹部である場合には、上方から差し込まれてもよい。
容器本体は、チューブ状容器に限らず、他の形状の容器であってもよい。
容器は、オーバーキャップを備えていなくてもよい。
各構成部材の説明において、「円筒状」、「楕円状」などと記載しているが、三角形状や矩形状などの他の多角形状など、適宜他の形状であってもよい。
【産業上の利用可能性】
【００４６】
この発明によれば、利便性を向上させた容器に関して、産業上の利用可能性が認められる。
【符号の説明】
【００４７】
１，１００  容器、２  容器本体、３  口部、４  弱化部、５  栓体、１２  肩部、３１，１０２  中栓体、３２，１０３  塗布体（注出部材）、４２，１０５  外筒部、４５，１１５  栓部、４９，１１０  保持凹部、６１Ａ，１２１Ａ  注出孔
【図１】
2020033093.tif 000003
【図２】
2020033093.tif 000004
【図３】
2020033093.tif 000005
【図４】
2020033093.tif 000006
【図５】
2020033093.tif 000007
【図６】
2020033093.tif 000008
【図７】
2020033093.tif 000009
【図８】
2020033093.tif 000010
【図９】
2020033093.tif 000011
【図１０】
2020033093.tif 000012